(57)【要約】  【課題】  冷却器収納部のスペースが小さい小型冷蔵庫におけるロー付けや配線結束作業をし易くするために、発泡断熱材の発泡前に冷却器と冷媒吸入管とをロー付けし、電気制御装置の配線結束を冷却ユニットとして行い、冷却ユニットを内箱の開口部に背面から取り付けた状態で、内箱と外箱の間に発泡断熱材を充填するものがある。この冷却ユニットを内箱の背壁に取り付ける平板状の保持部材は、内箱の背面と左右側面に沿って屈曲された大きさを有する。本発明は冷却器を庫内側から内箱に取り付けるものである。  【解決手段】  外箱（外壁板）と内箱（内壁板）との間の空間に発泡断熱材が充填された前面開口の冷蔵庫本体の内箱（内壁板）の背壁に開口を形成し、前面に冷却器が取り付けられ背面にこの開口を貫通して発泡断熱材に埋設される補強部を形成した取付け基板を内箱（内壁板）の前方から開口の周縁に取り付けてなる冷蔵庫である。【選択図】  図８
2006189223.tif 000002
【特許請求の範囲】
【請求項１】
外箱（外壁板）と内箱（内壁板）との間の空間に発泡断熱材が充填された前面開口の冷蔵庫本体と、この冷蔵庫本体内に形成した貯蔵室の後部に配置した冷却器と、この冷却器で冷却した冷気を前記貯蔵室へ循環させる送風機とを備え、前記内箱（内壁板）の背壁には開口が形成され、前面に前記冷却器が取り付けられ背面に前記開口を貫通して前記発泡断熱材に埋設される補強部を形成した取付け基板を、前記内箱（内壁板）の前方から前記開口の周縁に取り付けてなる冷蔵庫。
【請求項２】
外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、前記下部貯蔵室に対応する前記内箱（内壁板）の背壁には開口が形成され、前記送風機は、前記冷蔵庫本体の後壁に取り付けた取付け部材にて前記断熱仕切り壁の後部に貫通形成した空間に前方へ着脱自在なる状態で斜め上前方向きに支持され、前面に前記冷却器が取り付けられ背面に前記開口を貫通して前記発泡断熱材に埋設される補強部を形成した取付け基板を、前記内箱（内壁板）の前方から前記開口の周縁に取り付けてなる冷蔵庫。
【請求項３】
前記取付け基板には前記冷却器の下方部に除霜用電気ヒータの取付け部を形成したことを特徴とする請求項１又は２のいずれかに記載の冷蔵庫。
【請求項４】
前記内箱（内壁板）の背壁には後方へ窪んだ窪みが形成され、この窪みの中央部に前記開口が形成され、前記補強部が前記開口を貫通するよう前記取付け基板を前記窪みに取り付けた状態で、前記発泡断熱材を充填してなる請求項１〜３のいずれかに記載の冷蔵庫。
【発明の詳細な説明】
【技術分野】
【０００１】
本発明は、冷蔵庫の冷却器の取付け構成に関する。
【背景技術】
【０００２】
内箱と外箱の間に発泡断熱材を充填して冷蔵庫本体を形成し、この冷蔵庫本体内を断熱仕切り壁によって上部の冷蔵室と下部の冷凍室に区画し、冷凍室の後方に冷却器を設け、冷却器の上方に設けた送風機によって、冷蔵室と冷凍室へ冷気を循環する冷蔵庫において、冷却器と除霜関連部品を一体に組み込んで冷却ユニットを構成し、この冷却ユニットを内箱の背壁に形成した開口部に発泡断熱材側から取り付けたものがある。（例えば、特許文献１）。
【０００３】
特許文献１のものは、発泡断熱材の発泡前に、冷却器と冷媒吸入管とをロー付けし、電気制御装置の配線結束を冷却ユニットとして行い、この冷却ユニットを内箱の開口部に発泡断熱材側から取り付けるようにすることによって、冷却器収納部のスペースが小さい小型冷蔵庫におけるロー付け作業をし易くするものである。この場合、冷却ユニットを内箱の背壁に形成した開口部に発泡断熱材側から取り付けるため、冷却器を取り付ける平板状の保持部材は、内箱の背面から左右側面に沿って屈曲された左右のフランジを形成した大きさを有するものである。
【特許文献１】特開２００３−１３０５２６号公報
【発明の開示】
【発明が解決しようとする課題】
【０００４】
本発明は、特許文献１のような大きな保持部材を必要とせず、冷却器を内箱の庫内側から内箱に取り付ける小型化した構成の冷却器取付け構成を提供するものであり、冷却器が取り付けられた内箱とこれに組み合わされた外箱との間に発泡充填される発泡断熱材によって、この冷却器取付け部が一体化され、補強される構成を提供するものである。
【課題を解決するための手段】
【０００５】
第１の発明は、外箱（外壁板）と内箱（内壁板）との間の空間に発泡断熱材が充填された前面開口の冷蔵庫本体と、この冷蔵庫本体内に形成した貯蔵室の後部に配置した冷却器と、この冷却器で冷却した冷気を前記貯蔵室へ循環させる送風機とを備え、前記内箱（内壁板）の背壁には開口が形成され、前面に前記冷却器が取り付けられ背面に前記開口を貫通して前記発泡断熱材に埋設される補強部を形成した取付け基板を、前記内箱（内壁板）の前方から前記開口の周縁に取り付けてなる冷蔵庫である。
【０００６】
第２の発明は、外箱（外壁板）と内箱（内壁板）との間に発泡断熱材が充填された前面開口の冷蔵庫本体と、この冷蔵庫本体を上部貯蔵室と下部貯蔵室に上下に仕切る断熱仕切り壁と、前記下部貯蔵室の後部に配置した冷却器と、この冷却器で冷却した冷気を前記上部貯蔵室と下部貯蔵室に循環させる送風機とを備え、前記下部貯蔵室に対応する前記内箱（内壁板）の背壁には開口が形成され、前記送風機は、前記冷蔵庫本体の後壁に取り付けた取付け部材にて前記断熱仕切り壁の後部に貫通形成した空間に前方へ着脱自在なる状態で斜め上前方向きに支持され、前面に前記冷却器が取り付けられ背面に前記開口を貫通して前記発泡断熱材に埋設される補強部を形成した取付け基板を、前記内箱（内壁板）の前方から前記開口の周縁に取り付けてなる冷蔵庫である。
【０００７】
第３の発明は、第１又は第２の発明において、前記取付け基板には前記冷却器の下方部に除霜用電気ヒータの取付け部を形成したことを特徴とする。
【０００８】
第４の発明は、第１乃至第３の発明において、前記内箱（内壁板）の背壁には後方へ窪んだ窪みが形成され、この窪みの中央部に前記開口が形成され、前記補強部が前記開口を貫通するよう前記取付け基板を前記窪みに取り付けた状態で、前記発泡断熱材を充填した冷蔵庫である。
【発明の効果】
【０００９】
第１の発明は、取付け基板を貯蔵室側から、内箱（内壁板）の背壁に形成した開口の周縁に取り付けることにより、冷却器が所定位置へ取り付けられるため、取付け作業が簡素化される。そして、この取付けによって、補強部が開口を貫通して内箱（内壁板）の後方へ突出して、補強部が発泡断熱材の充填による圧力から取付け基板の変形を防止すると共に、発泡断熱材に埋設されることによって、冷蔵庫本体と一体化されて強度的にも安定した構造となり、しかも、この部分の断熱性能の低下も防止できるものとなる。
【００１０】
第２の発明は、第１の発明の効果に加えて、冷却器も送風機も前面から取り付けられる構成であるため、これらの取付け作業と、冷却器に取り付けられる除霜検知センサや温度ヒューズ等の温度検知部と、送風機の電気配線作業もし易くなる。
【００１１】
第３の発明では、第１の発明又は第２の発明の効果に加えて、予め除霜用電気ヒータを除霜用電気ヒータの取付け部に取り付けた状態で、取付け基板を開口の周縁に取り付ける方法と、取付け基板を開口の周縁に取り付けた後に、除霜用電気ヒータを除霜用電気ヒータの取付け部に取り付ける方法のいずれをも選択できるものとなり、組み立ての融通性ができる。
【００１２】
第４の発明では、第１の発明乃至第３の発明の効果に加えて、窪みによって取付け基板の取付け位置が定まるため、取付け作業もし易くなり、また、この窪みによって内箱（内壁板）が補強され、取付け部の補強効果も得られる。
【発明を実施するための最良の形態】
【００１３】
本発明は、外箱（外壁板）と内箱（内壁板）との間の空間に発泡断熱材が充填された前面開口の冷蔵庫本体と、この冷蔵庫本体内に形成した貯蔵室の後部に配置した冷却器と、この冷却器で冷却した冷気を前記貯蔵室へ循環させる送風機とを備え、前記内箱（内壁板）の背壁には開口が形成され、前面に前記冷却器が取り付けられ背面に前記開口を貫通して前記発泡断熱材に埋設される補強部を形成した取付け基板を、前記貯蔵室側から前記開口の周縁に取り付けたものであり、本発明の実施例を以下に記載する。
【実施例１】
【００１４】
次に、本発明の実施形態について説明する。図１は本発明に係る冷蔵庫の正面斜視図、図２は本発明に係る冷蔵庫の内箱と断熱仕切り壁と送風機の取付け部材の正面斜視図、図３は本発明に係る冷蔵庫の内箱と断熱仕切り壁の正面斜視図、図４は本発明に係る冷蔵庫の断熱仕切り壁を取り付けた発泡組み立て本体の構成を示す正面斜視図、図５は本発明に係る冷蔵庫の縦断側面図、図６は本発明に係る冷蔵庫の内箱と冷却器と取付け基板の正面斜視図、図７は本発明に係る冷蔵庫の内箱に冷却器を取り付けた状態の正面斜視図、図８は本発明に係る冷蔵庫の内箱に冷却器を取り付けた状態の縦断側面図、図９は本発明に係る冷蔵庫の内箱に冷却器を取り付けた状態の背面斜視図である。
【００１５】
実施例１に係る冷蔵庫１は、前面開口の冷蔵庫本体２内を断熱仕切り壁１０によって、冷蔵室である上部貯蔵室３と下部貯蔵室４に上下に仕切っている。これによって、上部貯蔵室３は冷蔵室を構成し、下部貯蔵室は冷凍室を構成している。冷蔵庫本体２は、金属製の外箱（外壁板）２Ａと、真空成形された厚み１．２ｍｍ〜０．８ｍｍの合成樹脂製の内箱（内壁板）２Ｂとの間に、発泡断熱材２Ｃを充填した断熱構造の断熱箱体である。上部貯蔵室３の前面開口は、冷蔵庫本体２の一側部に取り付けたヒンジ装置によって横方向へ回動されるスウィング式断熱扉５によって開閉される。また下部貯蔵室４の前面開口は、下部貯蔵室４内に設けた左右のレールとローラによる支持装置６によって前後方向へ引き出し可能に支持した上面開口の容器７と共に前方へ引き出される引き出し式扉８にて開閉される。
【００１６】
冷蔵庫１は、その上面をテーブル９として使用可能とする大きさであり、略１０００ｍｍ〜１３００ｍｍの高さに冷蔵庫本体２を構成している。このため、冷蔵庫本体２の上面テーブル板９は、冷蔵庫本体２の金属製の外箱（外壁板）２Ａの上面部分を構成するものであり、このテーブル板９の下面と内箱（内壁板）２Ｂとの間には、発泡断熱材２Ｃが充填された構成である。
【００１７】
下部貯蔵室４の後部には、冷蔵庫本体２の後壁２Ｄとの間に断熱区画壁１１によって区画された冷却器室１２が形成され、冷却器室１２内には冷却器１３が設置されている。これによって、断熱区画壁１１の前方部に冷凍室４が形成される。冷凍室４には、容器７の左右側壁上端部に補助容器７Ａが載置され、また、補助容器７Ａの上方には、冷凍室４の左右側壁に形成した前後方向のレールに前後引き出し自在に第３の容器７Ｂが載置されている。
【００１８】
断熱仕切り壁１０は、インジェクション成形の合成樹脂製上板１４とインジェクション成形の合成樹脂製下板１５との間に、予め所定形状に成形された発泡スチロール等の断熱材１６が挟持された断熱構造をなしている。このような断熱仕切り壁１０は、冷蔵庫本体２の内箱（内壁板）２Ｂの左右側壁に前後方向に形成した溝１７と、内箱（内壁板）２Ｂの後壁に形成した前面開口の溝１８に冷蔵庫本体２の前面開口部から挿入されて取り付けられる構成である。
【００１９】
冷却器１３で冷却した冷気を上部貯蔵室３と下部貯蔵室４に循環させるよう、断熱仕切り壁１０の後部を上下に貫通形成した冷気通路となる空間１９に送風機２０が配置されている。送風機２０は、プロペラファン２２とこれを回転する電動機２１がケーシング２３に取り付けられた軸流ファンである。送風機２０は、断熱仕切り壁１０の空間１９に斜め上前方へ冷気を送出するように、合成樹脂製の取付け部材２５によって斜め支持状態に取り付けられている。取付け部材２５の上部の固定部２５Ｂは、上部貯蔵室３の下部に対応した内箱（内壁板）２Ｂの後壁に形成した窪み２４に嵌って位置決めされた状態で、上部と下部をネジやプッシュ式プラスチック止め具等の止め具２６によって、内箱（内壁板）２Ｂに取り付けられている。
【００２０】
取付け部材２５は、上部の固定部から斜め下前方へ傾斜して張り出し、その左右中間部に送風機２０の取付け部２５Ａが形成され、この取付け部２５Ａには上部の左右に弾性保持片２７を一体形成し、更に左右両側には斜め下前方へ傾斜した支え部２９を一体形成している。取付け部材２５の下部の固定部２５Ｂは、断熱仕切り壁１０の後端部と共に内箱（内壁板）２Ｂの後壁に形成した前面開口の溝１８に嵌りこんで、断熱仕切り壁１０の後端部によって押された状態である。
【００２１】
また、取付け部材２５は、送風機２０の取付け部２５Ａの左右両側に傾斜した支え部２９を備え、この支え部２９の外側で前方へ膨らんだ壁部２８を形成しており、この左右両側の膨らんだ壁部２８は、取付け部２５Ａに送風機２０を取り付けた状態で、ケーシング２３の左右両側が当接又は近接する。送風機２０は、左右両側の支え部２９と上部の弾性保持片２７によって、ケーシング２３を所定位置に保持するようにしてもよいが、送風機２０の下部を支える支持部３０を取付け部材２５に形成してもよい。また、図のように、この支持部３０を断熱仕切り壁１０の下板１５に形成することもできる。このようにして送風機２０は、冷蔵庫本体２の後壁２Ｄの前面側において、断熱仕切り壁１０の空間１９に合成樹脂製の取付け部材２５によって斜め支持状態に取り付けられている。
【００２２】
冷却器１３の組立てについて説明する。冷却器１３は、並列状態に配置した多数のアルミニウムの薄いフィン４０を蛇行状に配置した冷媒パイプ（チューブ）４１が貫通したフィンチューブ式の冷却器である。冷媒減圧用のキャピラリチューブ４１Ａと、冷媒吐出パイプ４１Ｂは、予め両端以外は並行状態でロー付けされて一体化されている。そして、この一端側の冷媒吐出パイプ４１Ｂを冷却器１３の冷媒パイプ（チューブ）４１の冷媒出口にロー付けし、同じ側のキャピラリチューブ４１Ａを冷却器１３の冷媒パイプ（チューブ）４１の冷媒入り口にロー付けする。このように冷却器１３の取付け前に、冷却器１３の周辺のロー付け作業を終えている。
【００２３】
次に、冷却器１３の取付けについて説明する。下部貯蔵室４に対応する内箱（内壁板）２Ｂの背壁には、冷却器室１２に対応して横長矩形状の開口６０が形成されている。冷却器１３は、並列状態に配置した多数のアルミニウムの薄いフィン４０を蛇行状に配置した冷媒パイプ（チューブ）４１が貫通したフィンチューブ式の冷却器であり、取付け基板５０の前面の略中央部に取り付けている。取付け基板５０は、正面視で略横長長方形状の合成樹脂製であり、平面状の周辺取付け部５４を形成し、周辺取付け部５４には前面に突出した複数の冷却器取付け部５１と、ビス止め用円柱状ボス５２と、除霜用電気ヒータ３６の取付け部５５を形成し、補強部５３が周辺取付け部５４で囲まれた状態に形成されている。
【００２４】
冷却器取付け部５１は、冷却器１３の左右両側に形成される冷媒パイプ（チューブ）４１のＵ字状屈曲部が弾性にて嵌合して保持されるＵ字状溝を形成している。除霜用電気ヒータ３６は、ガラス管内にコイル状の電気ヒータが配置された形態であり、その左右両端部が取付け具によって取付け部５５に取り付けられる。補強部５３の裏面は、内箱（内壁板）２Ｂの開口６０に融通性をもって嵌り込む横長矩形状で後方へ突出しており、格子状のリブで升目状に構成され、周辺取付け部５４から後方への突出長さは、外箱（外壁板）２Ａと内箱（内壁板）２Ｂの間に充填される発泡断熱材２Ｃが、この升目に侵入して埋設される長さある。
【００２５】
冷却器室１２に対応した内箱（内壁板）２Ｂの背壁には、取付け基板５０の周辺取付け部５４が略いっぱいに嵌り込むように後方へ窪んだ窪み６１が形成され、この窪み６１の中央部に更に後方へ開口６０が形成されている。窪み６１は取付け基板５０の周辺取付け部５４の厚さと略同じ程度に後方へ窪んでおり、周辺取付け部５４をこの窪み６１に嵌め合わせたとき、略面一になるようにして、冷却器１３を通過する冷気の乱れを少なくしている。また、窪み６１の略中央部には略矩形状に後方へ張り出した張り出し部６２が形成されており、この張り出し部６２の中央部に略矩形状の開口６０が形成されている。
【００２６】
冷却器１３を冷却器取付け部５１に取付け、冷却器１３の除霜終了温度検知センサや、異常加熱状態で除霜用電気ヒータ３６への通電を断つ温度ヒューズを予め冷却器１３や取付け基板５０に取り付けた状態で、取付け基板５０の補強部５３が開口６０を貫通するように、取付け基板５０を内箱（内壁板）２Ｂの前方からその周辺取付け部５４を窪み６１に嵌め合わせ、内箱（内壁板）２Ｂの後方からネジＮ２によって取付け基板５０の周辺取付け部５４を、内箱（内壁板）２Ｂに固定する。なお、除霜用電気ヒータは、取付け部５５に取り付けておくこともできるが、発泡断熱材２Ｃの充填後に取付け部５５に取り付ける方法がよい。
【００２７】
冷却器１３の冷媒パイプ（チューブ）４１の入り口に接続される冷媒パイプのキャピラリチューブ４１Ａと、冷媒パイプ（チューブ）４１の出口に接続される冷媒吐出パイプ４１Ｂは、内箱（内壁板）２Ｂの背壁の孔６３から図７の如く後方へ引き出された後に、図８の如く曲げて、断熱間隔子６５によって内箱（内壁板）２Ｂから浮いた状態でテープ６６によって内箱（内壁板）２Ｂに取り付けられている。キャピラリチューブ４１Ａと冷媒吐出パイプ４１Ｂの孔６３を通る部分は、粘着性のシール材６８によって塞がれる。また、送風機２０のリード線が通る内箱（内壁板）２Ｂの孔も、接着性の薄板６８によって塞がれる。６７は後述の圧縮機３５で圧縮した冷媒の凝縮パイプであり、凝縮パイプ６７を出た冷媒がキャピラリチューブ４１Ａで減圧されて冷却器１３で蒸発する仕組みである。
【００２８】
冷蔵庫本体２を構成するために、上記のように冷却器１３、キャピラリチューブ４１Ａ及び冷媒吐出パイプ４１Ｂが取り付けられた内箱（内壁板）２Ｂと外箱（外壁板）２Ａとが組み合わされる。この組み合わせた内箱（内壁板）２Ｂの後壁の前面には、この組み合わせの前に送風機２０の取付け部材２５が止め具２６によって取り付けられる。そして、内箱（内壁板）２Ｂの左右側壁と背壁に形成した溝１７、１８に断熱仕切り壁１０を前面から挿入し、所定の挿入位置でネジＮ１によって断熱仕切り壁１０を内箱（内壁板）２Ｂの側壁に取り付ける。取付け部材２５の下部の固定部は、断熱仕切り壁１０の後端部によって押された状態で溝１８内に保持されている。この状態で、内箱（内壁板）２Ｂの後壁と取付け部材２５との間には、略密閉された空間３１が形成される。
【００２９】
このようにして構成された発泡組み立て本体２００は、その前面開口を下にした状態で、外箱（外壁板）２Ａの後壁に形成した注入孔から、発泡断熱材２Ｃの原液を発泡機のノズルによって注入する。この注入によって、外箱（外壁板）２Ａと内箱（内壁板）２Ｂとの間に発泡断熱材２Ｃが成長して充填される。一方、内箱（内壁板）２Ｂの後壁と取付け部材２５との間に形成された空間３１に対向して、内箱（内壁板）２Ｂの後壁には発泡断熱材２Ｃが流通する円形孔の流通部６４が形成されており、この発泡断熱材２Ｃが成長して充填される過程において、この発泡断熱材２Ｃの一部が流通部６４から空間３１に流出して、この空間３１に充填される。これによって、取付け部材２５は充填された発泡断熱材２Ｃの一部によって補強され、且つ断熱されるため、強度的に向上すると共に、この部分の断熱性能が向上する。また、補強部５３の裏面が発泡断熱材２Ｃに埋設され、冷却器室１２の部分は補強され、且つ発泡断熱材２Ｃが補強部５３の升目内に入り込んでこの部分の断熱効果を良好に保つ。
【００３０】
このようにして構成された冷蔵庫本体２に対して、送風機２０を取付け部材２５の取付け部２５Ａに取り付ける。送風機２０の取付けは、ケーシング２３の周辺部に設けたシール材を介して、ケーシング２３の左右両側を支え部２９に載せ、下部は断熱仕切り壁１０の下板１５等に当接状態で支持部３０によって支え、上部を弾性保持片２７によって支持する。これによって、送風機２０は、断熱仕切り壁１０の空間１９に合成樹脂製の取付け部材２５によって所定の角度で斜め支持状態に保持されると共に、周辺部が前記シール材によって冷気漏れがない状態で、弾性保持片２７によって送風機２０の着脱自在の状態に保持される。
【００３１】
なお、発泡組み立て本体２００に発泡断熱材２Ｃを充填する前に、送風機２０を取付け部材２５に取付ける方法でもよい。即ち、取付け部材２５と断熱仕切り壁１０を内箱（内壁板）２Ｂに取付けた状態で、送風機２０を取付け部材２５によって取付け、その状態で外箱（外壁板）２Ａと内箱（内壁板）２Ｂを組み合わせて発泡組み立て本体２００を構成し、この発泡組み立て本体２００に発泡断熱材２Ｃを充填する工程とすることができる。
【００３２】
このようにして送風機２０を取り付けた状態で、上部貯蔵室３の後部には、冷蔵庫本体２の後壁との間に上部貯蔵室３への冷気分配通路３３を形成する背壁部材３２が、冷蔵庫本体２に取り付けられている。背壁部材３２は、合成樹脂製の前面板３２Ａとその裏側の断熱材３２Ｂとの組み合わせである。背壁部材３２を取り外せば、弾性保持片２７の弾性を利用して送風機２０を前方へ取り外し可能であり、また前方から取付け可能となる。
【００３３】
冷却器１３によって冷却された冷気は、送風機２０によって矢印のように上部貯蔵室３と下部貯蔵室４とに循環して冷却する。即ち、送風機２０から冷気分配通路３３へ送出された冷気は、冷気分配通路３３に対応して背壁部材３２に形成した冷気吐出口から上部貯蔵室３へ流入して上部貯蔵室３を冷却した後、帰還路（図示せず）を通って冷却器室１２の下部へ入り、ここで再び冷却器１３によって冷却される循環をする。また、送風機２０から下部貯蔵室４の上部へ流入した冷気は、下部貯蔵室４を冷却した後、断熱区画壁１１の下端部から冷却器室１２の下部へ入り、ここで再び冷却器１３によって冷却される循環をする。上部貯蔵室３は冷蔵室であり、上部貯蔵室３の温度を温度サンサで感知して制御回路部によって冷凍サイクルの冷媒の圧縮機３５をＯＮ−ＯＦＦ制御する。冷却器１３は圧縮機３５と共に冷凍サイクルを構成する。３７は扉５を開いたとき点灯し、扉５を閉じたとき消灯する庫内灯である。
【産業上の利用可能性】
【００３４】
本発明の冷蔵庫は、冷凍冷蔵庫の呼称されるものもあるが、本発明の技術的範囲を逸脱しない限り種々の形態の冷蔵庫に摘要できるものであり、上部貯蔵室と下部貯蔵室が実施例の形態に限らず、冷蔵室、冷凍室、野菜室、その他の用途室の組み合わせであっても、何ら差し支えない。
【図面の簡単な説明】
【００３５】
【図１】本発明に係る冷蔵庫の正面斜視図である。（実施例１）
【図２】本発明に係る冷蔵庫の内箱と断熱仕切り壁と送風機の取付け部材の正面斜視図である。（実施例１）
【図３】本発明に係る冷蔵庫の内箱と断熱仕切り壁の正面斜視図である。（実施例１）
【図４】本発明に係る冷蔵庫の断熱仕切り壁を取り付けた発泡組み立て本体の構成を示す正面斜視図である。（実施例１）
【図５】本発明に係る冷蔵庫の縦断側面図である。（実施例１）
【図６】本発明に係る冷蔵庫の内箱と冷却器と取付け基板の正面斜視図である。（実施例１）
【図７】本発明に係る冷蔵庫の内箱に冷却器を取り付けた状態の正面斜視図である。（実施例１）
【図８】本発明に係る冷蔵庫の内箱に冷却器を取り付けた状態の縦断側面図である。（実施例１）
【図９】本発明に係る冷蔵庫の内箱に冷却器を取り付けた状態の背面斜視図である。（実施例１）
【符号の説明】
【００３６】
１・・・・冷蔵庫
２・・・・冷蔵庫本体
２Ａ・・・外箱（外壁板）
２Ｂ・・・内箱（内壁板）
２Ｃ・・・発泡断熱材
３・・・・上部貯蔵室
４・・・・下部貯蔵室
５・・・・上部貯蔵室扉
６・・・・支持装置
５・・・・上部貯蔵室扉
７・・・・容器
８・・・・下部貯蔵室扉
９・・・・テーブル
１０・・・断熱仕切り壁
１１・・・断熱区画壁
１２・・・冷却器室
１３・・・冷却器
１４・・・断熱仕切り壁の上板
１５・・・断熱仕切り壁の下板
１６・・・断熱材
１７、１８・・・内箱（内壁板）の溝
１９・・・空間
２０・・・送風機
２１・・・電動機
２２・・・プロペラファン
２３・・・ケーシング
２４・・・窪み
２５・・・送風機の取付け部材
２６・・・止め具
２７・・・弾性保持片
２９・・・送風機の支え部
３０・・・支え部
３１・・・空間
３２・・・背壁部材
３３・・・冷気分配通路
３６・・・除霜用電気ヒータ
５０・・・取付け基板
５１・・・冷却器取付け部
５４・・・周辺取付け部
５５・・・除霜用電気ヒータの取付け部
５３・・・補強部
６０・・・開口
【図１】
2006189223.tif 000003
【図２】
2006189223.tif 000004
【図３】
2006189223.tif 000005
【図４】
2006189223.tif 000006
【図５】
2006189223.tif 000007
【図６】
2006189223.tif 000008
【図７】
2006189223.tif 000009
【図８】
2006189223.tif 000010
【図９】
2006189223.tif 000011